(57)【要約】【課題】ユーザの網膜が黄斑変性等にかかることを防止し、実用価値が高い紫色光及び青色光を遮断するコンピュータ用ディスプレイ及びテレビ画面の保護カバー構造を提供する。【解決手段】  紫色光及び青色光を遮断するコンピュータ用ディスプレイ及びテレビ画面の保護カバー構造は、遮光剤１及びアクリル板２を備える。遮光剤１は、有色染剤及び青色光防止薬剤を含む。有色染剤と青色光防止薬剤とを混合させて紫色光及び青色光を遮断する染色剤を生成し、染色剤をアクリル板の各分画間に染み込ませる。アクリル板２は、複数の透光性が高い分画から構成される。分画の外層を１層の遮光剤１により覆い、分画により紫色光及び青色光の透過を遮断する。【選択図】図１
0003180287.tif 000002
【実用新案登録請求の範囲】
【請求項１】
遮光剤及びアクリル板を備えた紫色光及び青色光を遮断するコンピュータ用ディスプレイ及びテレビ画面の保護カバー構造であって、
前記遮光剤は、有色染剤及び青色光防止薬剤を含み、前記有色染剤と前記青色光防止薬剤とを混合することにより紫色光及び青色光を遮断する染色剤を生成させ、前記染色剤を前記アクリル板の各分画間に染み込ませ、
前記アクリル板は、複数の透光性が高い分画から構成され、前記分画の外層を１層の前記遮光剤により覆い、前記分画により紫色光及び青色光の透過を遮断することを特徴とする紫色光及び青色光を遮断するコンピュータ用ディスプレイ及びテレビ画面の保護カバー構造。
【考案の詳細な説明】
【技術分野】
【０００１】
本考案は、紫色光及び青色光を遮断するコンピュータ用ディスプレイ及びテレビ画面の保護カバー構造に関し、特に、ディスプレイ又はテレビ画面の外側に取り付ける紫色光及び青色光を遮断するコンピュータ用ディスプレイ及びテレビ画面の保護カバー構造に関する。
【背景技術】
【０００２】
従来のディスプレイ保護カバー構造の大部分は、透光性が高いアクリル板により構成され、衝撃保護及び傷つき防止の機能を備え、アクリル板の分画が透光性に非常に優れている上、ディスプレイから出る有害な光線を効果的に遮断することができないため、ユーザがディスプレイからの光線に長期間晒されると、ディスプレイからの光線に含まれる紫色光及び青色光が目の水晶体を通って網膜に達し、黄斑変性の病気にかかることが指摘されている。
【０００３】
特開２００９−６１６２３号（以下、「特許文献１」という。）には、遮光膜と、表示パネル等の不透明基体とを光硬化性接着樹脂を介して光硬化により接着して複合体を製作する方法が記載されている。しかし、特許文献１には、遮光膜の接着方法について開示されているが、遮光膜が紫色光及び青色光を具体的に遮蔽可能とした構成については開示されていない。
【特許文献１】特開２００９−６１６２３号公報
【考案の概要】
【考案が解決しようとする課題】
【０００４】
従って、本考案の課題は、コンピュータ用ディスプレイ及びテレビ画面の保護カバーにより、紫色光及び青色光を遮断し、ユーザの網膜が黄斑変性の病気にかかることを防ぎ、実用価値が高い紫色光及び青色光を遮断するコンピュータ用ディスプレイ及びテレビ画面の保護カバー構造を提供することにある。
【課題を解決するための手段】
【０００５】
そこで、本考案者が、前記課題を解決するため鋭意検討を重ねた結果、遮光剤及びアクリル板とを用い、遮光剤として有色染剤及び青色光防止薬剤を用いることにより、上記課題を解決できることに着目し、かかる知見に基いて本考案に想到した。
【０００６】
かくして、本考案によれば、遮光剤及びアクリル板を備えた紫色光及び青色光を遮断するコンピュータ用ディスプレイ及びテレビ画面の保護カバー構造であって、
前記遮光剤は、有色染剤及び青色光防止薬剤を含み、前記有色染剤と前記青色光防止薬剤とを混合することにより、紫色光及び青色光を遮断する染色剤を生成させ、前記染色剤を前記アクリル板の各分画間に染み込ませ、前記アクリル板は、複数の透光性が高い分画から構成され、前記分画の外層を１層の前記遮光剤により覆い、前記分画により紫色光及び青色光の透過を遮断することを特徴とする紫色光及び青色光を遮断するコンピュータ用ディスプレイ及びテレビ画面の保護カバー構造が提供される。
なお、本考案においてアクリル板の分画とは、アクリル材料からなる単位構成体（分子）であり、その間際に遮光剤を存在させるように構成したものである。
【考案の効果】
【０００７】
本考案は、前記の通りの構成からなり、紫色光及び青色光を有効に遮断することができ、著しく顕著な効果を奏する。
【図面の簡単な説明】
【０００８】
【図１】本考案の一実施形態に係る紫色光及び青色光を遮断するコンピュータ用ディスプレイ及びテレビ画面の保護カバー構造を示す斜視図である。
【図２】本考案の一実施形態に係る紫色光及び青色光を遮断するコンピュータ用ディスプレイ及びテレビ画面の保護カバー構造のアクリル板を示す部分拡大図である。
【図３】本考案の一実施形態に係る保護カバーのディスプレイからの光線の動きを示す断面図である。
【考案を実施するための形態】
【０００９】
以下、本考案の実施形態について図に基づいて説明する。なお、これによって本考案が限定されるものではない。
【００１０】
図１及び図２を参照する。図１及び図２に示すように、本考案の一実施形態に係る紫色光及び青色光を遮断するコンピュータ用ディスプレイ及びテレビ画面の保護カバー構造は、少なくとも遮光剤１及びアクリル板２から構成される。
【００１１】
遮光剤１は、有害な光線を遮断する染色剤である。この染色剤は、有色染剤１１及び青色光防止薬剤１２を含み、有色染剤１１と青色光防止薬剤１２とを混合して紫色光及び青色光を遮断する染色剤を生成してアクリル板２の各分画２１間に染み込ませる。
【００１２】
アクリル板２は、透光性が高い材料からなり、複数の透光性が高い分画２１から構成され、分画２１の外層を１層の遮光剤１により覆うことにより、分画２１により紫色光及び青色光の透過を遮断する。
【００１３】
図３を参照する。図３に示すように、本考案の一実施形態に係る紫色光及び青色光を遮断するコンピュータ用ディスプレイ及びテレビ画面の保護カバー構造は、その構造全体を１００％とした場合、アクリル板２の分画２１が９７％を占め、遮光剤１が２．２％を占める。ディスプレイからの光線波長２４０〜４００ｎｍは紫色光（紫外線）であり、有色染剤１１により９９．９％の紫色光を効果的に遮断することができる。光線波長４００〜５００ｎｍは青色光であり、ディスプレイからの青色光を青色光防止薬剤１２により遮断することができる。青色光防止薬剤１２は、６０〜８０％の青色光を遮断することができるため、黄斑変性の病気にかかることを防ぐことができる。
【００１４】
上述したことから分かるように、本考案の紫色光及び青色光を遮断するコンピュータ用ディスプレイ及びテレビ画面の保護カバー構造は、アクリル板の分画間に有色塗剤及び青色光防止薬剤を染み込ませることにより、眼病になることを防止し、ユーザの安全性を高めることができる上、ディスプレイが損傷し、又は衝撃を受けたりすることを防止し、実用価値を高めることもできる。
【００１５】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１６】
１  遮光剤
２  アクリル板
１１  有色染剤
１２  青色光防止薬剤
２１  分画
【図１】
0003180287.tif 000003
【図２】
0003180287.tif 000004
【図３】
0003180287.tif 000005